(57)【要約】【課題】セキュリティー性の高いカード決済端末登録システムを提供する。【解決手段】カード決済端末登録システム１は、カードリーダの製造シリアルナンバー、ＩＤ情報及び電子メールアドレスを記憶できるデータベース、受信した電子メールから製造シリアルナンバー、ＩＤ情報及び送信元の電子メールアドレスを得てデータベースに格納し、格納完了のときに所定の登録済情報を電子メールとして送信させるユーザ登録情報処理装置１１と、ＩＤカードからＩＤ情報を読み、このＩＤ情報と製造シリアル番号を送出できるカードリーダ５と、カードリーダ５からの製造シリアル番号及び当該ＩＤ情報をメールボックスに取込み、その製造シリアル番号及びＩＤ情報を電子メールとしてユーザ登録情報処理装置１１に送信し、ユーザ登録情報処理装置１１から登録済情報の電子メールを受信する携帯電話機９とからなる。【選択図】　図１
2004062733.tif 000002
【特許請求の範囲】
【請求項１】
決済情報センターに設けられていて、少なくともカードリーダの製造シリアル番号、ＩＤ情報及び電子メールアドレスを記憶できるデータベース、電子メールを送受信できるメール送受信手段、並びに、前記メール送受信手段により受信した電子メールから前記製造シリアル番号、ＩＤ情報及び前記電子メール送信元の電子メールアドレスを得て前記データベースに格納し、当該格納が完了したときに所定の登録済情報を前記メール送受信手段に与えて電子メールとして送信させる制御手段を備えてなるユーザ登録情報処理装置と、
少なくともＩＤ情報が書き込まれたＩＤカードからＩＤ情報を読み取ることができるとともに、製造シリアル番号及び当該ＩＤ情報を送出できるカードリーダと、
前記カードリーダからの製造シリアル番号及び当該ＩＤ情報をメールボックスに取り込み、前記決済情報センターの前記ユーザ登録情報処理装置に接続し、前記メールボックスに格納された前記製造シリアル番号及び当該ＩＤ情報を電子メールにして、当該電子メールを前記ユーザ登録情報処理装置に送信し、前記ユーザ登録情報処理装置からの登録済情報に関する電子メールを受信して登録済情報を表示できる携帯電話機と、
を備えたことを特徴とするカード決済端末登録システム。
【請求項２】
決済情報センターに設けられていて、少なくともカードリーダの製造シリアル番号、電子メールアドレス及びＩＤ情報を記憶できるデータベース、電子メールを送受信できるメール送受信手段、並びに、前記メール送受信手段により受信した電子メールから暗号化データ及び前記電子メール送信元の電子メールアドレスを抽出し、前記暗号化データを解読してカードリーダの製造シリアル番号及びＩＤ情報を得るとともに、当該カードリーダの製造シリアル番号、ＩＤ情報及び電子メールアドレスを前記データベースに格納し、当該格納が完了したときに所定の登録済情報を前記メール送受信手段に与えて電子メールとして送信させる制御手段を備えてなるユーザ登録情報処理装置と、
少なくとも前記ＩＤ情報が書き込まれたＩＤカードからＩＤ情報を読み取ることができるとともに、当該ＩＤ情報及び製造シリアル番号を暗号化し暗号化データとして送出できるカードリーダと、
前記カードリーダからの暗号化データをメールボックスに取り込み、前記決済情報センターのユーザ登録情報処理装置に接続し、前記メールボックスに格納された前記暗号化データを電子メールにして、当該電子メールを前記ユーザ登録情報処理装置に送信し、前記ユーザ登録情報処理装置からの登録済情報に関する電子メールを受信して登録済情報を表示できる携帯電話機と、
を備えたことを特徴とするカード決済端末登録システム。
【請求項３】
少なくともＩＤ情報が書き込まれたＩＤカードからＩＤ情報を読み取ることができるとともに、製造シリアル番号及び当該ＩＤ情報を送出できるカードリーダと、
前記カードリーダからの当該製造シリアル番号及び当該ＩＤ情報をメールボックスに取り込み、前記決済情報センターの前記ユーザ登録情報処理装置に接続し、前記メールボックスに格納された前記製造シリアル番号及び当該ＩＤ情報を電子メールにし、当該電子メールを前記ユーザ登録情報処理装置に送信し、前記ユーザ登録情報処理装置からの登録済情報に関する電子メールを受信して登録済情報を表示できる携帯電話機と、
を備えたことを特徴とするカード決済端末登録システム。
【請求項４】
少なくともＩＤ情報が書き込まれたＩＤカードからＩＤ情報を読み取ることができるとともに、当該ＩＤ情報及び製造シリアル番号を暗号化し暗号化データとして送出できるカードリーダと、
前記カードリーダからの暗号化データをメールボックスに取り込み、前記決済情報センターのユーザ登録情報処理装置に接続し、前記メールボックスに格納された前記暗号化データを電子メールにして、当該電子メールを前記ユーザ登録情報処理装置に送信し、前記ユーザ登録情報処理装置からの登録済情報に関する電子メールを受信して登録済情報を表示できる携帯電話機と、
を備えたことを特徴とするカード決済端末登録システム。
【請求項５】
前記携帯電話機は、当該ＩＤ情報に該当する者の氏名と登録完了情報とからなる登録済情報の中から少なくとも登録完了情報を前記カードリーダに送出でき、
前記カードリーダは、前記登録完了情報を受信した以後、ＩＤカードを読み取っても当該読み取ったＩＤ情報を前記携帯電話機に送出しないことを特徴とする請求項１、請求項２、請求項３または請求項４記載のカード決済端末登録システム。
【請求項６】
決済情報センターに設けられ、少なくともカードリーダの製造シリアル番号、ＩＤ情報及び電子メールアドレスを記憶できるデータベースと、
電子メールを送受信できるメール送受信手段と、
前記メール送受信手段により受信した電子メールから前記製造シリアル番号、
ＩＤ情報及び前記電子メール送信元の電子メールアドレスを得て前記データベースに格納し、当該格納が完了したときに所定の登録済情報を前記メール送受信手段に与えて電子メールとして送信させる制御手段と、
を備えたことを特徴とするユーザ登録情報処理装置。
【請求項７】
決済情報センターに設けられ、少なくともカードリーダの製造シリアル番号、電子メールアドレス及びＩＤ情報を記憶できるデータベースと、
電子メールを送受信できるメール送受信手段と、
前記メール送受信手段により受信した電子メールから暗号化データ及び前記電子メール送信元の電子メールアドレスを抽出し、前記暗号化データを解読してカードリーダの製造シリアル番号及びＩＤ情報を得る解析手段と、
当該カードリーダの製造シリアル番号、ＩＤ情報及び電子メールアドレスを前記データベースに格納させるとともに、当該格納が完了したときに所定の登録済情報を前記メール送受信手段に与えて電子メールとして送信させる制御手段と、
を備えたことを特徴とするユーザ登録情報処理装置。
【請求項８】
使用者の個人情報及びＩＤ情報を前記データベースに格納する手段と、
当該ＩＤ情報をＩＤカードに書き込んでＩＤカードを発行するＩＤカード発行機と、
を備えことを特徴とする請求項６または請求項７記載のユーザ登録情報処理装置。
【請求項９】
少なくともカードリーダの製造シリアル番号、ＩＤ情報及び電子メールアドレスを記憶できるデータベース用いてカードリーダのユーザ登録を行う際に使用するユーザ登録情報処理方法において、
電子メールを受信し当該電子メールから前記製造シリアル番号、ＩＤ情報及び前記電子メール送信元の電子メールアドレスを得る第１ステップと、
前記第１ステップで得た前記製造シリアル番号、ＩＤ情報及び電子メールアドレスを前記データベースに格納する第２ステップと、
前記第２ステップにより当該格納が完了したときに所定の登録済情報を電子メールとして送信させる第３ステップと、
を備えたことを特徴とするユーザ登録情報処理方法。
【請求項１０】
少なくともカードリーダの製造シリアル番号、ＩＤ情報及び電子メールアドレスを記憶できるデータベース用いてカードリーダのユーザ登録を行う際に使用するユーザ登録情報処理方法において、
電子メールを受信し当該電子メールから暗号化データ及び前記電子メール送信元の電子メールアドレスを抽出する第４ステップと、
前記第４ステップで抽出された暗号化データを解読してカードリーダの製造シリアル番号及びＩＤ情報を得る第５ステップと、
前記第５ステップで得た当該カードリーダの製造シリアル番号、ＩＤ情報及び電子メールアドレスを前記データベースに格納する第６ステップと、
前記第６ステップにより当該データベースへの格納が完了したときに所定の登録済情報を電子メールとして送信する第７ステップと、
を備えたことを特徴とするユーザ登録情報処理方法。
【請求項１１】
少なくともカードリーダの製造シリアル番号、ＩＤ情報及び電子メールアドレスを記憶できるデータベース領域を確保する領域確保機能と、
電子メールを受信し当該電子メールから前記製造シリアル番号、ＩＤ情報及び前記電子メール送信元の電子メールアドレスを得る取得機能と、
前記取得機能で得た前記製造シリアル番号、ＩＤ情報及び電子メールアドレスを前記領域確保機能により確保されたデータベース領域に格納する格納機能と、
前記格納機能により前記製造シリアル番号、ＩＤ情報及び電子メールアドレスの格納が完了したときに所定の登録済情報を電子メールとして送信する送信機能と、
をコンピュータに実現させることを特徴とするユーザ登録情報処理プログラム。
【請求項１２】
少なくともカードリーダの製造シリアル番号、電子メールアドレス及びＩＤ情報を記憶できるデータベース領域を確保する領域確保機能と、
電子メールを受信し当該電子メールから暗号化データ及び前記電子メール送信元の電子メールアドレスを抽出する抽出機能と、
前記抽出機能により抽出された暗号化データを解読してカードリーダの製造シリアル番号及びＩＤ情報を得る取得機能と、
前記取得機能で得た当該カードリーダの製造シリアル番号、ＩＤ情報及び電子メールアドレスを前記データベースに格納する格納機能と、
前記格納機能により前記製造シリアル番号、ＩＤ情報及び電子メールアドレスの格納が完了したときに所定の登録済情報を電子メールとして送信する送信機能と、
をコンピュータに実現させることを特徴とするユーザ登録情報処理プログラム。
【請求項１３】
少なくともカードリーダの製造シリアル番号、ＩＤ情報及び電子メールアドレスを記憶できるデータベース領域を確保する領域確保機能と、
電子メールを受信し当該電子メールから前記製造シリアル番号、ＩＤ情報及び前記電子メール送信元の電子メールアドレスを得る取得機能と、
前記取得機能で得た前記製造シリアル番号、ＩＤ情報及び電子メールアドレスを前記領域確保機能により確保されたデータベース領域に格納する格納機能と、
前記格納機能により前記製造シリアル番号、ＩＤ情報及び電子メールアドレスの格納が完了したときに所定の登録済情報を電子メールとして送信する送信機能と、
をコンピュータに実現させることを特徴とするユーザ登録情報処理プログラムが格納された記憶媒体。
【請求項１４】
少なくともカードリーダの製造シリアル番号、電子メールアドレス及びＩＤ情報を記憶できるデータベース領域を確保する領域確保機能と、
電子メールを受信し当該電子メールから暗号化データ及び前記電子メール送信元の電子メールアドレスを抽出する抽出機能と、
前記抽出機能により抽出された暗号化データを解読してカードリーダの製造シリアル番号及びＩＤ情報を得る取得機能と、
前記取得機能で得た当該カードリーダの製造シリアル番号、ＩＤ情報及び電子メールアドレスを前記データベースに格納する格納機能と、
前記格納機能により前記製造シリアル番号、ＩＤ情報及び電子メールアドレスの格納が完了したときに所定の登録済情報を電子メールとして送信する送信機能と、
をコンピュータに実現させることを特徴とするユーザ登録情報処理プログラムが格納された記憶媒体。
【発明の詳細な説明】
【０００１】
【発明の属する技術分野】
本発明は、セキュリティを確保するため、特定のユーザのみがカードリーダを使用できるようにしたカード決済端末登録システム、ユーザ登録情報処理装置、ユーザ登録情報処理方法、ユーザ登録情報処理プログラム、及び、ユーザ登録情報処理プログラムが格納された記憶媒体に関するものである。
【０００２】
【従来の技術】
一般に、公衆無線回線を利用したカード決済端末は、カードリーダと携帯電話機とからなり、当該カードリーダを携帯電話機に接続し、当該カードリーダで読み込んだ決済データを前記携帯電話機に送り込み、前記携帯電話機から決済情報センターに設けられた決済情報処理装置に決済データを送出してカード決済を行うようにしたものである。
このカード決済端末は、保険外交員や化粧品セールスマンなどのユーザによって携帯されて持ち運ばれ、顧客先にてカード決済に使用される。
このように当該カード決済端末は持ち運ばれて使用されるという性質から、例えばカードリーダが紛失や盗難にあった場合などのことを考え、特定のユーザのみが使用でき他の者は使用できないようにしてセキュリティを確保していた。
このようなカードリーダのセキュリティの確保は、次のようにしていた。すなわち、決済情報センターに登録されたユーザのＩＤ情報をカードリーダの製造工場に送り、カードリーダの出荷時に携帯電話機の電話番号と併せてカードリーダに登録していた。
そして、カード決済が必要となったときに、ユーザは、予め発行されているＩＤカードをカードリーダに読み取らせる。カードリーダは、読み込まれたＩＤ情報が格納されているＩＤ情報と一致したときに、クレジットカードの読み取りが可能になって、クレジットカードをカードリーダに読み取らせる。
次に、カードリーダは、当該格納されている携帯電話番号、ＩＤ情報を読み取り、クレジットＩＤ情報とともに暗号化して携帯電話機に送り込む。ユーザは、携帯電話機を決済情報センターの決済情報処理装置に接続し、これらの情報を決済情報処理装置に送信する。
決済情報処理装置では、暗号化されたデータを解読し、携帯電話機の電話番号とカードリーダに格納された電話番号とが一致するか、送られてきたＩＤ情報と予め格納していた電話番号やＩＤ情報とが一致するかを確認し、すべて一致したときに、カード決済を可能としていた。
このようにすることにより、特定のユーザしかカード決済端末を使用できなくなり、セキュリティが確保できる。
【０００３】
【発明が解決しようとする課題】
しかしながら、上述した従来のカード決済端末によれば、カードリーダの出荷前に事前にＩＤ情報をカードリーダに登録する必要があった。
また、上述した従来のカード決済端末によれば、工場のカードリーダの出荷工程で、携帯電話番号やＩＤ情報を紐（関連）付ける工程を用意する必要があった。
このため、カード決済端末が利用できるようになるには、長時間を要するという欠点があった。
【０００４】
そこで、本発明の目的は、上述した問題点を解消し、簡単な構成でかつ安価に、しかも確実かつ安全にカード決済端末の使用を可能にするようにしたものである。
【０００５】
【課題を解決するための手段】
請求項１記載の発明では、決済情報センターに設けられていて、少なくともカードリーダの製造シリアル番号、ＩＤ情報及び電子メールアドレスを記憶できるデータベース、電子メールを送受信できるメール送受信手段、並びに、前記メール送受信手段により受信した電子メールから前記製造シリアル番号、ＩＤ情報及び前記電子メール送信元の電子メールアドレスを得て前記データベースに格納し、当該格納が完了したときに所定の登録済情報を前記メール送受信手段に与えて電子メールとして送信させる制御手段を備えてなるユーザ登録情報処理装置と、
少なくともＩＤ情報が書き込まれたＩＤカードからＩＤ情報を読み取ることができるとともに、製造シリアル番号及び当該ＩＤ情報を送出できるカードリーダと、前記カードリーダからの製造シリアル番号及び当該ＩＤ情報をメールボックスに取り込み、前記決済情報センターの前記ユーザ登録情報処理装置に接続し、前記メールボックスに格納された前記製造シリアル番号及び当該ＩＤ情報を電子メールにして、当該電子メールを前記ユーザ登録情報処理装置に送信し、前記ユーザ登録情報処理装置からの登録済情報に関する電子メールを受信して登録済情報を表示できる携帯電話機と、を備えることにより前記目的を達成する。
【０００６】
請求項２記載の発明では、決済情報センターに設けられていて、少なくともカードリーダの製造シリアル番号、電子メールアドレス及びＩＤ情報を記憶できるデータベース、電子メールを送受信できるメール送受信手段、並びに、前記メール送受信手段により受信した電子メールから暗号化データ及び前記電子メール送信元の電子メールアドレスを抽出し、前記暗号化データを解読してカードリーダの製造シリアル番号及びＩＤ情報を得るとともに、当該カードリーダの製造シリアル番号、ＩＤ情報及び電子メールアドレスを前記データベースに格納し、当該格納が完了したときに所定の登録済情報を前記メール送受信手段に与えて電子メールとして送信させる制御手段を備えてなるユーザ登録情報処理装置と、少なくとも前記ＩＤ情報が書き込まれたＩＤカードからＩＤ情報を読み取ることができるとともに、当該ＩＤ情報及び製造シリアル番号を暗号化し暗号化データとして送出できるカードリーダと、前記カードリーダからの暗号化データをメールボックスに取り込み、前記決済情報センターのユーザ登録情報処理装置に接続し、前記メールボックスに格納された前記暗号化データを電子メールにして、当該電子メールを前記ユーザ登録情報処理装置に送信し、前記ユーザ登録情報処理装置からの登録済情報に関する電子メールを受信して登録済情報を表示できる携帯電話機と、を備えることにより前記目的を達成する。
【０００７】
請求項３記載の発明では、少なくともＩＤ情報が書き込まれたＩＤカードからＩＤ情報を読み取ることができるとともに、製造シリアル番号及び当該ＩＤ情報を送出できるカードリーダと、前記カードリーダからの当該製造シリアル番号及び当該ＩＤ情報をメールボックスに取り込み、前記決済情報センターの前記ユーザ登録情報処理装置に接続し、前記メールボックスに格納された前記製造シリアル番号及び当該ＩＤ情報を電子メールにし、当該電子メールを前記ユーザ登録情報処理装置に送信し、前記ユーザ登録情報処理装置からの登録済情報に関する電子メールを受信して登録済情報を表示できる携帯電話機と、を備えることにより前記目的を達成する。
【０００８】
請求項４記載の発明では、少なくともＩＤ情報が書き込まれたＩＤカードからＩＤ情報を読み取ることができるとともに、当該ＩＤ情報及び製造シリアル番号を暗号化し暗号化データとして送出できるカードリーダと、前記カードリーダからの暗号化データをメールボックスに取り込み、前記決済情報センターのユーザ登録情報処理装置に接続し、前記メールボックスに格納された前記暗号化データを電子メールにして、当該電子メールを前記ユーザ登録情報処理装置に送信し、前記ユーザ登録情報処理装置からの登録済情報に関する電子メールを受信して登録済情報を表示できる携帯電話機と、を備えることにより前記目的を達成する。
【０００９】
請求項５記載の発明では、請求項１、請求項２、請求項３または請求項４記載のカード決済端末登録システムにおいて、前記携帯電話機は、当該ＩＤ情報に該当する者の氏名と登録完了情報とからなる登録済情報の中から少なくとも登録完了情報を前記カードリーダに送出でき、前記カードリーダは、前記登録完了情報を受信した以後、ＩＤカードを読み取っても当該読み取ったＩＤ情報を前記携帯電話機に送出しないことにより前記目的を達成する。
【００１０】
請求項６記載の発明では、決済情報センターに設けられ、少なくともカードリーダの製造シリアル番号、ＩＤ情報及び電子メールアドレスを記憶できるデータベースと、電子メールを送受信できるメール送受信手段と、前記メール送受信手段により受信した電子メールから前記製造シリアル番号、ＩＤ情報及び前記電子メール送信元の電子メールアドレスを得て前記データベースに格納し、当該格納が完了したときに所定の登録済情報を前記メール送受信手段に与えて電子メールとして送信させる制御手段と、を備えることにより前記目的を達成する。
【００１１】
請求項７記載の発明では、決済情報センターに設けられ、少なくともカードリーダの製造シリアル番号、電子メールアドレス及びＩＤ情報を記憶できるデータベースと、電子メールを送受信できるメール送受信手段と、前記メール送受信手段により受信した電子メールから暗号化データ及び前記電子メール送信元の電子メールアドレスを抽出し、前記暗号化データを解読してカードリーダの製造シリアル番号及びＩＤ情報を得る解析手段と、当該カードリーダの製造シリアル番号、ＩＤ情報及び電子メールアドレスを前記データベースに格納させるとともに、当該格納が完了したときに所定の登録済情報を前記メール送受信手段に与えて電子メールとして送信させる制御手段と、を備えることにより前記目的を達成する。
【００１２】
請求項８記載の発明では、請求項６または請求項７記載のユーザ登録情報処理装置において、使用者の個人情報及びＩＤ情報を前記データベースに格納する手段と、当該ＩＤ情報をＩＤカードに書き込んでＩＤカードを発行するＩＤカード発行機と、当該ＩＤ情報をＩＤカードに書き込んでＩＤカードを発行するＩＤカード発行機と、を備えることにより前記目的を達成する。
請求項９記載の発明では、少なくともカードリーダの製造シリアル番号、ＩＤ情報及び電子メールアドレスを記憶できるデータベース用いてカードリーダのユーザ登録を行う際に使用するユーザ登録情報処理方法において、電子メールを受信し当該電子メールから前記製造シリアル番号、ＩＤ情報及び前記電子メール送信元の電子メールアドレスを得る第１ステップと、前記第１ステップで得た前記製造シリアル番号、ＩＤ情報及び電子メールアドレスを前記データベースに格納する第２ステップと、前記第２ステップにより当該格納が完了したときに所定の登録済情報を電子メールとして送信させる第３ステップと、を備えることにより前記目的を達成する。
【００１３】
請求項１０記載の発明では、少なくともカードリーダの製造シリアル番号、ＩＤ情報及び電子メールアドレスを記憶できるデータベース用いてカードリーダのユーザ登録を行う際に使用するユーザ登録情報処理方法において、電子メールを受信し当該電子メールから暗号化データ及び前記電子メール送信元の電子メールアドレスを抽出する第４ステップと、前記第４ステップで抽出された暗号化データを解読してカードリーダの製造シリアル番号及びＩＤ情報を得る第５ステップと、前記第５ステップで得た当該カードリーダの製造シリアル番号、ＩＤ情報及び電子メールアドレスを前記データベースに格納する第６ステップと、前記第６ステップにより当該データベースへの格納が完了したときに所定の登録済情報を電子メールとして送信する第７ステップと、を備えることにより前記目的を達成する。
【００１４】
請求項１１記載の発明では、少なくともカードリーダの製造シリアル番号、ＩＤ情報及び電子メールアドレスを記憶できるデータベース領域を確保する領域確保機能と、電子メールを受信し当該電子メールから前記製造シリアル番号、ＩＤ情報及び前記電子メール送信元の電子メールアドレスを得る取得機能と、前記取得機能で得た前記製造シリアル番号、ＩＤ情報及び電子メールアドレスを前記領域確保機能により確保されたデータベース領域に格納する格納機能と、前記格納機能により前記製造シリアル番号、ＩＤ情報及び電子メールアドレスの格納が完了したときに所定の登録済情報を電子メールとして送信する送信機能と、をコンピュータに実現させることにより前記目的を達成する。
【００１５】
請求項１２記載の発明では、少なくともカードリーダの製造シリアル番号、電子メールアドレス及びＩＤ情報を記憶できるデータベース領域を確保する領域確保機能と、電子メールを受信し当該電子メールから暗号化データ及び前記電子メール送信元の電子メールアドレスを抽出する抽出機能と、前記抽出機能により抽出された暗号化データを解読してカードリーダの製造シリアル番号及びＩＤ情報を得る取得機能と、前記取得機能で得た当該カードリーダの製造シリアル番号、ＩＤ情報及び電子メールアドレスを前記データベースに格納する格納機能と、前記格納機能により前記製造シリアル番号、ＩＤ情報及び電子メールアドレスの格納が完了したときに所定の登録済情報を電子メールとして送信する送信機能と、をコンピュータに実現させることにより前記目的を達成する。
【００１６】
請求項１３記載の発明では、少なくともカードリーダの製造シリアル番号、ＩＤ情報及び電子メールアドレスを記憶できるデータベース領域を確保する領域確保機能と、電子メールを受信し当該電子メールから前記製造シリアル番号、ＩＤ情報及び前記電子メール送信元の電子メールアドレスを得る取得機能と、前記取得機能で得た前記製造シリアル番号、ＩＤ情報及び電子メールアドレスを前記領域確保機能により確保されたデータベース領域に格納する格納機能と、前記格納機能により前記製造シリアル番号、ＩＤ情報及び電子メールアドレスの格納が完了したときに所定の登録済情報を電子メールとして送信する送信機能と、をコンピュータに実現させることにより前記目的を達成する。
請求項１４記載の発明では、少なくともカードリーダの製造シリアル番号、電子メールアドレス及びＩＤ情報を記憶できるデータベース領域を確保する領域確保機能と、電子メールを受信し当該電子メールから暗号化データ及び前記電子メール送信元の電子メールアドレスを抽出する抽出機能と、前記抽出機能により抽出された暗号化データを解読してカードリーダの製造シリアル番号及びＩＤ情報を得る取得機能と、前記取得機能で得た当該カードリーダの製造シリアル番号、ＩＤ情報及び電子メールアドレスを前記データベースに格納する格納機能と、前記格納機能により前記製造シリアル番号、ＩＤ情報及び電子メールアドレスの格納が完了したときに所定の登録済情報を電子メールとして送信する送信機能と、をコンピュータに実現させることにより前記目的を達成する。
【００１７】
【発明の実施の形態】
以下、本発明の実施の形態について図面を参照して説明する。
（構成の説明）
図１ないし図１１は、本発明の実施の形態に係るカード決済端末登録システムを説明するための図である。
ここに、図１は、本発明の実施の形態に係るカード決済端末登録システムを示す構成図である。
この図１において、本発明の実施の形態に係るカード決済端末登録システム１は、少なくともＩＤ情報が書き込まれたＩＤカード３からＩＤ情報を読み取ることができるとともに予め格納しておいた製造シリアル番号を読み取り、これら製造シリアル番号及びＩＤ情報を暗号化し暗号化データとして送出できるカードリーダ５と、前記カードリーダ５からの暗号化データをメールボックスに取り込み、かつ、前記メールボックスに格納された前記暗号化データを決済情報センター１０宛の電子メールアドレスを付けて電子メールにしてパケット通信網１７、通信事業者接続センター１８内のメールサーバーへ送り出し、かつ通信事業者接続センター１８内のメールサーバーからパケット通信網１７を介して送られてくる自己宛（携帯電話機９固有の電子メールアドレス）の登録済情報に関する電子メールを受信できる携帯電話機９と、前記決済情報センター１０に設けられていて、少なくともカードリーダ５の製造シリアル番号、ＩＤ情報及び電子メールアドレスを記憶できるデータベース及び電子メールを送受信できるメール送受信手段を備え、通信事業者接続センター１８のメールサーバー、インターネット７を介して送られてくる決済情報センター１０宛の暗号化データを含む電子メールを前記メール送受信手段により受信し、当該電子メールから暗号化データ及び送信元の電子メールアドレスを抽出し、前記暗号化データを解読してカードリーダ５の製造シリアル番号及びＩＤ情報を得るとともに、当該カードリーダ５の製造シリアル番号、ＩＤ情報及び電子メールアドレスを前記データベースに格納し、当該格納が完了したときに所定の登録済情報を前記メール送受信手段に与えて電子メールとして送信させる制御手段を有するユーザ登録情報処理装置１１とからなる。
【００１８】
したがって、前記携帯電話機９は、パケット通信網１７、通信事業者接続センター１８のメールサーバー、インターネット７を介して決済情報センター１０のユーザ登録情報処理装置１１に等価的に接続された状態になり、前記携帯電話機９からユーザ登録情報処理装置１１へ暗号化データを送信することができるとともに、前記ユーザ登録情報処理装置１１から送信された登録済情報を携帯電話機９で受信できることになる。
ここで、登録済情報とは、当該ＩＤ情報に該当する者の氏名と、登録が完了した旨の登録完了情報とからなる。
【００１９】
また、前記ユーザ登録情報処理装置１１は、メールを送受信できるメール送受信手段としてのメールサーバーを備えていて、前記通信事業者接続センター１８のメールサーバーから前記インターネット７を介して送られてくる電子メールを受信し、かつ、ユーザ登録情報処理装置１１側から送信する電子メールをインターネット７を介して通信事業者接続センター１８のメールサーバーに送信できるように構成されている。
【００２０】
また、前記ユーザ登録情報処理装置１１は、少なくともカードリーダ５の製造シリアル番号、電子メールアドレス及びＩＤ情報を記憶できるデータベースを備えていて、前記インターネット７を介して接続されている通信事業者接続センター１８のメールサーバーから送られてくる暗号化データに関する電子メールをメール送受信手段で受信した後、その電子メールから暗号化データ及び送信元の電子メールアドレスを抽出し、前記暗号化データを解読してカードリーダ５の製造シリアル番号及びＩＤ情報を得る解析手段と、当該解析手段で得たカードリーダ５の製造シリアル番号及びＩＤ情報と電子メールアドレスとを前記データベースに格納させるとともに、当該格納が完了したときに所定の登録済情報を電子メールにして前記メール送受信手段に与え、当該メール送受信手段から、前記インターネット７を介して接続されている通信事業者接続センター１８のメールサーバーに携帯電話機９宛の電子メールアドレスを付して登録済情報を送出させる制御手段と有するものである。
【００２１】
さらに、ユーザ登録情報処理装置１１にはＩＤカード発行装置１１ｆも備えられており、ユーザ登録情報処理装置１１の制御下に前記ＩＤカード発行装置１１ｆによりＩＤ情報を記録したＩＤカード３を発行できるようになっている。
また、通信事業者接続センター１８のメールサーバーにはパケット通信網１７を介して携帯電話機９が接続されているので、等価的に、携帯電話機９とユーザ登録情報処理装置１１とが接続された状態になって、上記電子メールの送受信は携帯電話機９とユーザ登録情報処理装置１１との間で行われることになる。
【００２２】
前記カードリーダ５は、詳細は後述するが、ＩＤカード３を読み取るカード読取部５１と、キーボードなどの入力キー５２と、前記入力キー５２より入力したデータを表示する液晶ディスプレイ５３とを備え、ＩＤカード３のＩＤ情報を読み取るとともに当該ＩＤ情報及び予め格納されている製造シリアル番号を暗号化し、暗号化データとして前記携帯電話機９に送出できるように構成されている。
【００２３】
前記携帯電話機９は、前述したように電子メールの送受信機能を有しており、かつ、前記カードリーダ５からの暗号化データをメールボックスに取り込んだ後、決済情報センター１０宛の電子メールアドレスを付してパケット通信網１７、通信事業者接続センター１８のメールサーバー、前記決済情報センター１０のユーザ登録情報処理装置１１に接続し、しかる後、前記メールボックスに格納された前記暗号化データを前記決済情報センター１０のユーザ登録情報処理装置１１に送信し、前記ユーザ登録情報処理装置１１から登録済情報を受信できる機能を備えている。
【００２４】
ここで、通信事業者接続センター１８とは、図示しないが、アクセスサーバーと、ゲートウエイサーバーと、ルーターと、メールサーバーとがＬＡＮで接続されている。また、前記通信事業者接続センター１８は、アクセスサーバーには前記パケット通信網１７が接続されており、前記ルーターにはインターネット７が接続されている。そして、前記携帯電話機９は、パケット通信網１７を介して通信事業者接続センター１８のアクセスサーバー・ゲートウエイサーバー・メールサーバー・ルーターを経由して等価的にインターネット７に接続されるようになっている。
【００２５】
図２は、本発明の実施の形態に係るカード決済端末登録システム１で使用するＩＤカード３を示す図である。
この図２に示すＩＤカード３は、プラスチックなどの素材により所定の大きさの長方形状の薄板状３１に形成されており、その薄板状３１の一面または両面の偏った位置に細い帯状の磁気記録媒体３２が設けられている。この磁気記録媒体３２には、例えば「開始コード（Ｓｙｃ１）」、「ＩＤ情報」、「所属コード」、「その他必要な情報」、「終了コード（Ｓｙｃ２）」などが書き込まれている。
図３は、本発明の実施の形態に係るカード決済端末登録システム１で使用するカードリーダ５の外観を示す図である。
【００２６】
本発明の携帯電話機９を用いたカード決済システム１で使用されるカードリーダ５は、図１及び図３に示すように、所定の大きさの直方体形状のカードリーダ本体５０と、このカードリーダ本体５０の一面の図示右側面側に偏った位置にＩＤカード３の厚みよりやや大きな幅の溝を図示上側の側面から図示下側の側面に渡って形成してなるカード読取部５１と、前記決済に必要な情報を入力するためのテンキー・転送キーなどの入力キー５２と、前記入力キー５２で入力した情報を確認したりその他必要な情報を表示する液晶ディスプレイ５３と、電源スイッチ（図示せず）と、前記カードリーダ本体５０の内部に設けたＩＤ情報処理回路（図示せず）と、前記カードリーダ本体５０の内部に設けた電源回路（図示せず）とを備えている。
【００２７】
また、前記カードリーダ５は、入力した情報やＩＤ情報を各種の暗号化手法により暗号化して送出できる暗号化手段を備えている。前記カードリーダ５には通信ケーブル５４が設けられており、この通信ケーブル５４の先端に携帯電話機９のデータ伝送端子に接続できる接続ソケット５５が設けられており、カードリーダ５より暗号化した出力情報を通信ケーブル５４を介して携帯電話機９に送り込むことができるようになっている。
また、前記カード読取部５１は、当該カード読取部５１の溝の内側であって、当該溝の内側の中程の所定の位置に磁気読取ヘッド（図示せず）が設けられており、当該溝の図示上側からＩＤカード３の磁気記録媒体３２側を前記溝の底側に当接させた状態で挿入し、図示上側から図示下側に向かってＩＤカード３を当該溝の内部に挿入したまま当該溝に沿って所定の速さで移動させることにより、ＩＤカード３の磁気記録媒体３２に記録されているＩＤ情報が磁気読取ヘッドにより読み取れるようになっている。
【００２８】
図４は、本発明の実施の形態に係るカード決済端末登録システム１に使用する携帯電話の外観を示す正面図である。
この図４において、前記携帯電話機９は、本体９ａの図示上側に液晶ディスプレイ９ｂを設け、その下側にダイヤルキー９ｃを設け、その図示右上側にアンテナ９ｄを設け、本体９ａの中心部にマルチファンクションキー９ｅを設けた構成となっている。また、この携帯電話機９は、電子メールの送受信機能を備えていて、パケット通信網１７、通信事業者接続センター１８に設置したアクセスサーバー・ゲートウエイサーバー・メールサーバー・ルーターを経由してインターネット７に接続可能とされており、電子メールの送受信ができるようになっている。また、液晶ディスプレイ９ｂは、その他各種の表示が可能になっている。
【００２９】
図５は、本発明の実施の形態に係るカード決済端末登録システム１におけるユーザ登録情報処理装置１１を示すブロック図である。
図１及び図５において、前記ユーザ登録情報処理装置１１は、各種データの記録や装置全体の動作を管理する管理サーバー１１ａと、インターネット７に接続されていて電子メールの送受信ができるメールサーバー１１ｂと、少なくともカードリーダ５の製造シリアル番号、ＩＤ情報及び電子メールアドレスを格納できるデータベースを備えたデータベースサーバー１１ｃと、これらサーバー１１ａ，１１ｂ及び１１ｃへの各種設定を行うためのデクストップクライアント１１ｄと、これらを接続するＬＡＮ回線１１ｅとを備えている。また、データベースサーバー１１ｃにはＩＤカード発行装置１１ｆが接続されており、データベースサーバー１１ｃの制御の基に、ＩＤカード発行装置１１ｆからＩＤカード３が発行できるようになっている。このＩＤカード発行装置１１ｆは、データベースサーバー１１ｃのデータベースからＩＤ情報、所属コード及びその他必要な情報を取り出し、図２に示すように、ＩＤカード３の磁気記録媒体３２にＩＤ情報、所属コード、その他必要な情報を磁気記録できるような構成となっている。
【００３０】
また、管理サーバー１１ａは、メールサーバー１１ｂから電子メールを受け取り、当該電子メールから暗号化データ及び送信元の電子メールアドレスを抽出し、解析手段により、前記暗号化データを解読してカードリーダ５の製造シリアル番号及びＩＤ情報を得てデータベースサーバー１１ｃに送り、かつ、装置全体の動作を統括制御するコンピュータである。
また、前記メールサーバー１１ｂは、インターネット７から電子メールを受信すると、受信した電子メールを管理サーバー１１ａに送り、しかる後、データベースサーバー１１ｃから所定の登録済情報を受信し、電子メール形式にした後に携帯電話機９宛の電子メールアドレスを付してインターネット７に送出できるようになっている。
【００３１】
また、データベースサーバー１１ｃは、少なくともカードリーダ５の製造シリアル番号、ＩＤ情報及び電子メールアドレスを格納できるデータベース（後に詳説する）を備え、かつ、管理サーバー１１ａから受け取った製造シリアル番号、ＩＤ情報及び電子メールアドレスを前記データベースに格納し、当該格納が完了したときに所定の登録済情報を電子メールにして前記メールサーバー１１ｂに与え、当該メールサーバー１１ｂから前記インターネット７を介して通信事業者接続センター１８のメールサーバーに登録済情報を携帯電話機９宛の電子メールアドレスを付して送出できるようになっている。
【００３２】
デクストップクライアント１１ｄは、管理サーバー１１ａ、メールサーバー１１ｂ及びデータベースサーバー１１ｃに各種必要な設定を行えるようになっている。
上述したような機能を実現する管理サーバー１１ａ、メールサーバー１１ｂ及びデータベースサーバー１１ｃのハードウエア構成について以下に説明する。なお、各サーバー１１ａ、１１ｂ、１１ｃは、基本的には、同一のハードウエア構成をしているので、管理サーバー１１ａを代表して説明し、メールサーバー１１ｂとデータベースサーバー１１ｃのハードウエアの説明を省略する。
また、デクストップクライアント１１ｄについては、他のサーバー１１ａ，１１ｂ，１１ｃとは若干異なるので、説明をすることにする。
【００３３】
まず、管理サーバー１１ａについて説明する。前記管理サーバー１１ａは、各種の処理や制御を実行する制御部１１１と、オペレーティングシステムや管理サーバーの働きを実現させるアプリケーションプログラムやその他必要なデータを展開記憶する主記憶装置１１２と、オペレーティングシステムや管理サーバーの働きを実現させるアプリケーションプログラムやその他必要なデータを格納しているハードディスク装置等の記憶媒体を駆動する記憶媒体駆動装置１１３と、図示しない入力機器や出力機器などを接続するための入出力インターフェース（Ｉ／Ｆ）１１４と、前記ＬＡＮ回線１１ｅに接続してデータ通信を行うＬＡＮカード１１５と、これらを接続するバスライン１１６とから構成されている。
【００３４】
また、前記制御部１１１は、各種演算処理を実行する中央演算処理装置（ＣＰＵ）１１１ａと、イニシャル時に所定の処理を前記ＣＰＵ１１１ａに実行させるプログラムが記憶されたリード・オンリ・メモリ（ＲＯＭ）１１１ｂと、前記ＣＰＵ１１１ａが演算処理を実行する際に、必要なデータを一時格納するランダム・アクセス・メモリ（ＲＡＭ）１１１ｃとから構成されており、これらはバスライン１１６に接続されている。
【００３５】
次に、前記デクストップクライアント１１ｄについて説明する。前記デクストップクライアント１１ｄは、各種の処理や制御を実行する制御部１２１と、オペレーティングシステムやデクストップクライアントを実現させるアプリケーションプログラムやその他必要なデータを記憶する主記憶装置１２２と、ハードディスク等の記憶媒体を駆動する記憶媒体駆動装置１２３と、図示しない入力機器や出力機器などを接続するための入出力インターフェース（Ｉ／Ｆ）１２４と、前記ＬＡＮ回線１１ｅに接続してデータ通信を行うＬＡＮカード１２５と、前記制御部１２１に各種データを入力するキーボード１２６と、前記制御部１２１に必要な指示を与えるマウス１２７と、前記制御部１２１で処理した結果を表示する表示装置１２８と、これらを接続するバスライン１２９とから構成されている。
【００３６】
また、前記制御部１２１は、各種演算処理を実行するＣＰＵ１２１ａと、イニシャル時に所定の処理を前記ＣＰＵ１２１ａに実行させるプログラムが記憶されたＲＯＭ１２１ｂと、前記ＣＰＵ１２１ａが演算処理を実行する際に、必要なデータを一時格納するＲＡＭ１２１ｃとから構成されており、これらはバスライン１２９に接続されている。
【００３７】
図６は、本発明の実施の形態に係るカード決済端末登録システム１で使用するカードリーダ５のＩＤ情報処理回路の例を示すブロック図である。
この図６において、このカードリーダ５のＩＤ情報処理回路は、後述するプログラムを実行することによりカードリーダ５としての動作を行わせる演算処理装置（ＣＰＵ）５６と、カードリーダ５として動作させるプログラム及び当該装置の製造シリアル番号が格納されているメモリ５７と、入力キー５２からの入力データを制御するキーコントローラ５８と、液晶ディスプレイ５３の表示を制御する表示制御ユニット５９と、磁気読取ヘッド６０で読み取ったＩＤ情報を処理する読取データ処理回路６１と、携帯電話機９との間で通信を行うための電話機インターフェース（Ｉ／Ｆ）６２と、これらを接続するバスライン６３とから構成されている。なお、前記メモリ５７は、前記オペレーティングシステムや前記アプリケーションプログラムや製造シリアル番号を格納するＲＯＭと、バッテリーバックアップされたメモリとで構成されており、当該メモリ５７に格納したデータやプログラムが消去されないようになっている。また、前記電話機Ｉ／Ｆ６２には、通信ケーブル５４が接続可能になっている。
【００３８】
前記情報処理回路は、カードリーダ本体５０に内蔵したバッテリーからの直流電力または商用電源を整流して得た直流電力を前記各回路に供給できるようになっている。また、前述したようにカードリーダ本体５０内にはバッテリーを搭載しているので、商用電源のない場合でも使用できる。
【００３９】
ここで、クレジット決済が必要となって電源スイッチをオンとすると、前記ＣＰＵ５６は、前記メモリ５７に格納されているプログラムを実行し、待機状態になる。この待機状態で、カードリーダ５のカードリーダ本体５０の溝の図示上側からＩＤカード３の磁気記録媒体３２側を前記溝の底側に当接させた状態で挿入し、図示上側から図示下側に向かってＩＤカード３を当該溝に沿って所定の速さで移動させることにより、ＩＤカード３の磁気記録媒体３２に記録されているＩＤ情報を磁気読取ヘッド６０で読み取るようになっている。この磁気読取ヘッド６０の読取データは、読取データ処理回路６１で所定の信号形式に処理されてＣＰＵ５６に送られるようになっている。
【００４０】
前記ＣＰＵ５６は、読取データ処理回路６１から送られてくるＩＤ情報や、メモリ５７に予め格納されている製造シリアル番号を取り込み、製造シリアル番号及びＩＤ情報を前記暗号化手段で暗号化して暗号化データとした後に、前記メモリ５７の所定のエリアに格納しておくことにより、転送可能状態となっている。前記ＣＰＵ５６は、携帯電話機９からの転送許可があったときに、入力キー５２の転送キーの押下により、前記暗号化した製造シリアル番号及びＩＤ情報を通信ケーブル５４を介して携帯電話機９のメールボックスに転送できるようになっている。
【００４１】
図７は、本発明の実施の形態に係るカード決済端末登録システム１で使用されるデータベース１００の例を示す図であり、図７（ａ）は製造シリアル番号、ＩＤ情報、及び、電子メールアドレスが格納される前のデータベース１００を、図７（ｂ）は製造シリアル番号、ＩＤ情報、及び、電子メールアドレスが格納された後のデータベース１００を、それぞれ示したものである。
このデータベース１００はデータベースサーバー１１ｃに設けられており、データベース１００は、ＩＤ情報格納エリア１０１と、氏名格納エリア１０２と、所属コード格納エリア１０３と、製造シリアル番号格納エリア１０４と、電子メールアドレス格納エリア１０５と、その他の情報を格納するその他情報格納エリア１０７とから構成されている。
【００４２】
ＩＤカード３を発行する必要があるときに、デクストップクライアント１１ｄを使用し、ＩＤ情報、氏名、所属などを入力すると、デクストップクライアント１１ｄからデータベースサーバー１１ｃに当該情報が与えられるようになっている。データベースサーバー１１ｃは、図７（ａ）に示すように、データベース１００にＩＤ情報、氏名及び所属を格納するとともに、当該情報をＩＤカード発行装置１１ｆに与えるようになっている。
ＩＤカード発行装置１１ｆは、データベースサーバー１１ｃの制御の下で、当該情報をＩＤカード３に書き込むことができるようになっている。このＩＤカード３は、当該ＩＤ情報に該当するユーザに交付される。
【００４３】
（動作説明）
このような構成の携帯電話機９を用いたカード決済端末登録システム１の動作を図１ないし図７を基に図８ないし図１１を参照して説明する。
図８は、本発明の実施の形態に係るカード決済端末登録システム１における携帯電話機９側での操作を含めての流れの一例を説明するためのフローチャートである。図９は、本発明の実施の形態に係るカード決済端末登録システム１における、カードリーダ５の動作の一例を説明するためのフローチャートである。図１０は、本発明の実施の形態に係るカード決済端末登録システム１における、携帯電話機９の動作の一例を説明するためのフローチャートである。図１１は、本発明の実施の形態に係るカード決済端末登録システム１における、ユーザ登録情報処理装置１１の動作の一例を説明するためのフローチャートである。
【００４４】
（カードリーダ５及び携帯電話機９側での操作と各動作）
まず、図８を用いて、携帯電話機９側での操作を含めた流れを説明する。
カードリーダ５の工場出荷時には、カードリーダ５の製造シリアル番号をメモリ５７に記憶させておく。これは、従来でも行われていたことである。
また、カードリーダ５及び携帯電話機９からなるカード決済端末を使用するユーザには、前もって当該ユーザに固有のＩＤカード３を交付しておく。これにより、各ユーザは、それぞれ固有のＩＤ情報を格納したＩＤカード３を所持することになる。なお、各ユーザは、各自のＩＤカード３を紛失しないように大切に保管する。
【００４５】
ユーザは、当該カード決済端末を使用しようとするときは、まず、ユーザが前記カードリーダ５を通信ケーブル５４を介して前記携帯電話機９に接続し、前記カードリーダ５の電源スイッチをオンとする前処理操作を行う（図８のＳ２０１）。
次に、ユーザは、カードリーダ５のカード読取部５１の溝にＩＤカード３を挿入し、当該カード読取部５１の溝内を上から下に向けて移動させてＩＤカード３の磁気記録媒体３２に記録されているＩＤ情報を磁気読取ヘッド６０で読み取らせる読み取り操作を行う（図８のＳ２０２）。
すると、カードリーダ５では、ＣＰＵ５６の制御下に、磁気読取ヘッド６０で読み取ったＩＤ情報と、メモリ５７の所定の記憶エリアから読み取った製造シリアル番号とを、暗号化手段で暗号化してメモリ５７の所定のエリアに一時格納する（図８のＳ２０３）。
【００４６】
ついで、ユーザは、前記携帯電話機９のマルチファンクションキー９ｅを操作し、電子メールの送信を可能な状態にする電子メール送信準備操作を行う（図８のＳ２０４）。準備が完了すると、カードリーダ５は、情報転送可能状態となる（図８のＳ２０５）
【００４７】
カードリーダ５が、情報転送可能状態になると、ユーザは、カードリーダ５の入力キー５２の転送キーを押す転送キーオン操作を行う（図８のＳ２０６）。
これにより、カードリーダ５のＣＰＵ５６はメモリ５７の所定のエリアに一時格納しておいた暗号化された暗号化データを携帯電話機９のメールボックスに送り込む（図８のＳ２０７）。
【００４８】
次に、操作者は、携帯電話機９のダイヤルキー９ｃやマルチファンクションキー９ｅを操作し、電子メールアドレス（決済情報センター１０宛の電子メールアドレス）を付してメールボックス内の暗号化データを送信する電子メール送信操作を行う（図８のＳ２０８）。これにより、携帯電話機９は、暗号化データを電子メールにして決済情報センター１０宛に送信して待機状態になる（図８のＳ２０９）。
転送した後の一定時間後に、前記携帯電話機９は登録済情報または再入力要求の電子メールを受信し、当該登録済情報または再入力要求が前記携帯電話機９の液晶ディスプレイ９ｂに表示される（図８のＳ２１０）。
【００４９】
携帯電話機９の液晶ディスプレイ９ｂに、「データ読み取り不良」などで再入力と表示された場合には（図８のＳ２１２；再入力）、再び、図８のＳ２０２に戻って、図８のＳ２０２以降の処理を実行する。
一方、携帯電話機９の液晶ディスプレイ９ｂに、登録済情報（ユーザ氏名及び登録完了通知）が表示された場合には（図８のＳ２１１；登録済）、携帯電話機９は、登録済情報の内少なくとも登録完了通知をカードリーダ５に送信する処理を実行する（図８のＳ２１２）。
【００５０】
カードリーダ５は、登録完了通知を受信すると、以後、ＩＤカード３を読み取っても、当該ＩＤカード３以外のＩＤカード３の情報を送出しないようにするＩＤ情報送出不可処理を実行する（図８のＳ２１３）。
これにより、すべての入力が終了したので、操作者は、前記携帯電話機９のオフフックボタンを押下し、カードリーダ５の電源スイッチをオフにし、かつ、前記携帯電話機９のデータ転送端子から接続ソケット５５を抜き取る終了操作を行い（図８のＳ２１４）、処理を終了する。
【００５１】
上述したように携帯電話機９側が動作すると、通信事業者接続センター１８のメールサーバーは、携帯電話機９からの暗号化データを含む電子メールをパケット通信網１７を介して受信し、その受信した暗号化データを含む電子メールをインターネット７を介してユーザ登録情報処理装置１１のメールサーバー１１ｂに送信する。
また、当該通信事業者接続センター１８のメールサーバーは、前記ユーザ登録情報処理装置１１のメールサーバー１１ｂからの登録済情報からなる電子メールをインターネット７を介して受信し、当該受信した登録済情報からなる電子メールをパケット通信網１７を介して携帯電話機９に送信する。
【００５２】
また、前記ユーザ登録情報処理装置１１は、少なくともカードリーダ５の製造シリアル番号、電子メールアドレス及びＩＤ情報を記憶できるデータベース１００を備えており、かつ、携帯電話機９からパケット通信網１７、通信事業者接続センター１８のメールサーバー、インターネット７を介して送られてくる暗号化データを受信し、当該電子メールから暗号化データ及び送信元の電子メールアドレスを抽出するステップと、前記暗号化データを解読してカードリーダ５の製造シリアル番号及びＩＤ情報を得るステップと、前記ステップで得た当該カードリーダ５の製造シリアル番号、ＩＤ情報及び電子メールアドレスを前記データベース１００に格納するステップと、当該データベース１００への格納が完了したときには所定の登録済情報を、または、データ読み取りが不能なときには再入力要求を、電子メールとして送信させるステップとを処理することができる。
【００５３】
（カードリーダ５、携帯電話機９及びユーザ登録情報処理装置１１の動作）
次に、以上のような流れの中で、前記携帯電話機９や、前記カードリーダ５や、前記ユーザ登録情報処理装置１１がどのように動作しているかを、図９、図１０及び図１１を参照して説明する。
上記図７のＳ２０２、Ｓ２０４、Ｓ２０７、Ｓ２０９の操作をし、前記携帯電話機９から暗号化データからなる電子メールを前記決済情報センター１０のユーザ登録情報処理装置１１宛に送信できる状態になり、かつ、前記決済情報センター１０のユーザ登録情報処理装置１１から携帯電話機９宛の登録済情報または再入力要求に関する電子メールを受信できる状態になると、図９のカードリーダ５のフローチャートの処理と、図１０の携帯電話機９のフローチャートの処理と、図１１のユーザ登録情報処理装置１１のフローチャートの処理とが開始される。なお、以下では、まず、カードリーダ５の動作を、ついで携帯電話機９の動作を、最後にユーザ登録情報処理装置１１の動作を説明することにする。
【００５４】
（カードリーダ５の動作説明）
まず、カードリーダ５の動作は、次のようになる。上述したように準備が終了した時点で（図８のＳ２０１）、カードリーダ５は動作を開始できることになる。
前記カードリーダ５のＣＰＵ５６では、メモリ５７に格納されて展開されているアプリケーションプログラムを実行し、まず、読取データ処理回路６１にＩＤ情報読取データの入力があるか否かを判断する（図９のＳ４０１；ＮＯの繰り返し）。ここで、読取データ処理回路６１からＩＤ情報読取データがＣＰＵ５６に供給されると（図９のＳ４０１；ＹＥＳ）、ＣＰＵ５６は、当該ＩＤ情報読取データをメモリ５７の所定のエリアに一時格納する（図９のＳ４０２）。
【００５５】
ついで、ＣＰＵ５６は、前記メモリ５７の所定のエリアに一時格納しておいたＩＤ情報読取データと、工場出荷時に前記メモリ５７に予め格納されている製造シリアル番号とを取り込み、ＣＰＵ５６により実現されている暗号化手段で当該製造シリアル番号及びＩＤ情報を暗号化して暗号化データとした後に、メモリ５７の所定の記憶エリアに一時格納する処理を実行する（図９のＳ４０３）。
しかる後、ＣＰＵ５６は、入力キー５２の転送ボタンの押下待ちになる（図９のＳ４０４）。
【００５６】
ここで、ユーザがカードリーダ５の入力キー５２の転送ボタンを押下すると、ＣＰＵ５６は転送ボタンが押下されたと判断し（図９のＳ４０５；ＹＥＳ）、メモリ５７の所定のエリアに格納しておいた暗号化データを携帯電話機９のメールボックスに転送し（図９のＳ４０６）、携帯電話機９からの返信データの受信待ちになる（図９のＳ４０７；ＮＯの繰り返し）。なお、当該返信データは、登録完了通知または再入力要求のいずれかである。
ここで、前記ＣＰＵ５６は、携帯電話機９からの返信データを受信すると（図９のＳ４０７；ＹＥＳ）、その返信データの内容を判断する（図９のＳ４０８）。
【００５７】
前記ＣＰＵ５６は、携帯電話機９からの返信データが再入力要求であったときに（図９のＳ４１０；再入力）、「再入力コード」の表示を液晶ディスプレイ５３に表示し（図９のＳ４１１）、図９のＳ４０１に戻って、Ｓ４０１以降のステップを再び処理する。
一方、前記ＣＰＵ５６は、携帯電話機９からの返信データが登録完了通知であったときには（図９のＳ４１０；ＹＥＳ）、それ以降、登録済ＩＤ情報以外のＩＤ情報を送信できないように設定し（図９のＳ４１０）、メモリ５７の所定エリアに一時格納しておいた暗号化データを消去する暗号化データ消去処理を実行し（図９のＳ４１１）、処理を終了する。これにより、当該登録済ユーザ以外の他のユーザは、当該カード決済端末の使用ができないことになる。
なお、カードリーダ５では、図９のＳ４０２においてメモリ５７の所定のエリアに格納しておいたＩＤ情報読取データを、ユーザの登録以後であって、顧客がカード決済を要求したときに使用する。
【００５８】
（携帯電話機９の動作）
次に、携帯電話機９の動作について図１０を参照して説明する。図８のＳ２０５の操作がされると、携帯電話機９は、図１０のフローチャートの処理を開始し、まず、電子メール送信の準備処理を実行する（図１０のＳ６０１−Ｓ６０２；ＮＯの繰り返し）。
携帯電話機９は、電子メール送信の準備処理が完了すると（図１０のＳ６０２；ＹＥＳ）、カードリーダ５からのデータの入力待ちになる（図１０のＳ６０３）
【００５９】
携帯電話機９は、カードリーダ５から暗号化データを受信すると（図１０のＳ６０３；ＹＥＳ）、当該暗号化データをメールボックスに書き込む処理を実行する（図１０のＳ６０４−Ｓ６０５；ＮＯの繰り返し）。
また、携帯電話機９は、メールボックスへの当該暗号化データの書き込みが完了すると（図１０のＳ６０５；ＹＥＳ）、電子メール送信可能表示を本体９ａの液晶ディスプレイ９ｂに表示し（図１０のＳ６０６）、送信ボタンのオン待ちになる（図１０のＳ６０７；ＮＯの繰り返し）。
【００６０】
ここで、携帯電話機９は、送信ボタンがオンされたことを検出すると（図１０のＳ６０７；ＹＥＳ）、決済情報センター１０宛の電子メールアドレスとメールボックスに書き込まれた暗号化データをパケット通信網１７に送信する電子メール送信処理を実行した後（図１０のＳ６０８）、電子メールの受信待ちになる（図９のＳ６０９；ＮＯの繰り返し）。
ここで、携帯電話機９からパケット通信網１７に送出された電子メールは、通信事業者接続センター１８のメールサーバーに送られる。通信事業者接続センター１８のメールサーバーは、当該電子メールをインターネット７を介して前記決済情報センター１０のユーザ登録情報処理装置１１のメールサーバー１１ｂに送信する。前記決済情報センター１０のユーザ登録情報処理装置１１のメールサーバー１１ｂは、携帯電話機９宛の電子メールアドレスを付した登録済情報または再入力要求の電子メールをインターネット７を介して通信事業者接続センター１８のメールサーバーに送り込む。通信事業者接続センター１８のメールサーバーは、パケット通信網１７を介して携帯電話機９に当該電子メールを送信する。
【００６１】
携帯電話機９は、当該電子メールを受信すると（図１０のＳ６０９；ＹＥＳ−Ｓ６１０）、当該電子メールが登録済情報か再入力要求かを判断する（図１０のＳ６１１）。
携帯電話機９は、当該電子メールが再入力要求のときには（図９のＳ６１１；再入力）、再入力要求をカードリーダ５に送信する処理を実行し（図９のＳ６１２）、図１０のＳ６０３に戻り、Ｓ６０３以降の処理を再度実行する。
携帯電話機９は、当該電子メールが登録済情報のときには（図１０のＳ６１１；登録済）、登録済情報の中から「登録完了通知」をカードリーダ５に送信する処理を実行するとともに（図１０のＳ６１３）、登録情報を当該液晶ディスプレイ９ｂに表示し（図１０のＳ６１４）（例えば、「ユーザの氏名」を表示する）、処理を終了する。これにより、携帯電話機９の液晶ディスプレイ９ｂには、「氏名」が表示されることになる。
ユーザは、携帯電話機９の本体９ａの液晶ディスプレイ９ｂに表示された氏名を見て、当該氏名が自己の氏名であったことを確認することにより登録が適正に終了したことを知ることができる。
【００６２】
（ユーザ登録情報処理装置１１の動作）
次に、ユーザ登録情報処理装置１１の動作について図１１を参照して説明する。図８のＳ２１０が処理されると、ユーザ登録情報処理装置１１は、図１１のフローチャートの処理を開始する。
まず、前記決済情報センター１０のユーザ登録情報処理装置１１のメールサーバー１１ｂは、インターネット７から自己宛の電子メールを受信し、当該電子メールから暗号化データ及び送信元の電子メールアドレスを抽出し（図１１のＳ８０１）、管理サーバー１１ａに当該暗号化データ及び電子メールアドレスを転送する。
【００６３】
前記ユーザ登録情報処理装置１１の管理サーバー１１ａは、メールサーバー１１ｂより受け取った暗号化データを暗号解読手段により暗号解読し、当該解読した製造シリアル番号とＩＤ情報及び電子メールアドレスを取り出し、データベースサーバー１１ｃに転送する解読転送処理を実行する（図１１のＳ８０２）。
また、前記ユーザ登録情報処理装置１１のデータベースサーバー１１ｃは、管理サーバー１１ａから製造シリアル番号、ＩＤ情報及び電子メールアドレスを受信すると、当該ＩＤ情報を、データベース１００の各ＩＤ情報格納エリア１０１に格納してあるＩＤ情報に参照して、予め登録してあるＩＤ情報かどうか判断する（図１１のＳ８０３）。
【００６４】
ユーザ登録情報処理装置１１のデータベースサーバー１１ｃは、当該ＩＤが、予め登録されているＩＤ情報でないときには（図１１のＳ８０３；ＮＯ）、再入力要求の電子メールを送信する電子メール送信処理を実行し（図１１のＳ８０４）、再入力要求の回数を判断する（図１１のＳ８０５）。データベースサーバー１１ｃは、再入力要求の回数が一定値に達しないときには（図１１のＳ８０５：ＮＯ）、図１１のＳ８０１に戻り、Ｓ８０１以降の処理を続行する。データベースサーバー１１ｃは、再入力要求の回数が一定値に達したときには（図１１のＳ８０５：ＹＥＳ）、当該電子メールアドレス、ＩＤ情報あるいは製造シリアル番号の情報を含む電子メールであったときに当該電子メールの受信を拒否する受信拒否設定処理を実行し（図１１のＳ８０６）、処理を終了する。
【００６５】
一方、ユーザ登録情報処理装置１１のデータベースサーバー１１ｃは、当該ＩＤが、予め登録されているＩＤ情報のときには（図１１のＳ８０３；ＹＥＳ）、前記管理サーバー１１ａからの製造シリアル番号及び電子メールアドレスを、データベース１００上に格納する格納処理を実行する（図１１のＳ８０７）。これにより、データベース１００は、図７（ｂ）に示すように、該当するＩＤ情報のＩＤ情報格納エリア１０１において、製造シリアル番号格納エリア１０４に製造シリアル番号が、電子メールアドレス格納エリア１０５に電子メールアドレスが格納される。
【００６６】
前記ユーザ登録情報処理装置１１のデータベースサーバー１１ｃは、図７（ｂ）に示すようにデータベース１００に登録されると、当該ＩＤ情報に該当する氏名格納エリア１０２から氏名を取り出し、登録完了通知と併せて登録済情報を形成し、登録済情報をメールサーバー１１ｂに転送する（図１１のＳ８０８）。これにより、前記ユーザ登録情報処理装置１１のメールサーバー１１ｂは、登録済情報の電子メールを携帯電話機９宛にインターネット７を介して送信し（図１１のＳ８０９）、処理を終了する。
【００６７】
本発明の実施の携帯に係るカード決済端末登録システム１では、前記カードリーダ５が図９に示すフローチャートのように動作し、これに伴って前記携帯電話機９が図１０に示すフローチャートのように動作し、さらに、前記ユーザ登録情報処理装置１１が図１１に示すフローチャートのように動作することになる。
したがって、本発明の実施の形態に係るカード決済端末登録システム１では、電子メールの送受信処理機能のある携帯電話機９にカードリーダ５を接続し、簡単かつ確実にユーザと、ユーザのＩＤ情報と、カードリーダ５の製造シリアル番号と、携帯電話機９固有の電子メールアドレスとを関連づけられ、特定のユーザ以外は当該カードリーダ５を使用することができなくなり、セキュリティが向上する。
【００６８】
上述した処理を実行するユーザ登録情報処理プログラムを情報処理装置にインストールし、当該ユーザ登録情報処理装置１１を実現可能な状態にするために用いられるプログラム記憶媒体としては、例えばフレキシブルディスク、ＣＤ−ＲＯＭ、ＤＶＤなどのパッケージメディア以外に、プログラムが一時的もしくは永続的に格納される半導体メモリや磁気ディスクなどで実現してもよい。
上述したプログラム記憶媒体に格納する手段としては、ローカル・エリア・ネットワークやインターネットなどの有線通信媒体、あるいはデジタル衛星放送などの無線通信媒体を利用してもよく、ルーターやモデムなどの各種通信インターフェースを介して格納するようにしてもよい。
【００６９】
上述したように本発明のカード決済端末登録システム１によれば、カードリーダ５の製造工場において、ＩＤ情報を登録する工程がなくなり、工程数が少なくなる。
また、本発明のカード決済端末登録システム１によれば、ＩＤカード３をカードリーダ５のカード読取部５１に通してＩＤ情報を読み取り、その読み取ったＩＤ情報を携帯電話機９を介して決済情報センター１０のユーザ登録情報処理装置１１に送って、カードリーダ５を使用するユーザを登録しているので、操作が簡単でかつ間違いなくユーザを登録することができる。
また、本発明のユーザ登録情報処理装置１１によれば、カードリーダ５及び携帯電話機９からなるカード決済端末から送られてくるＩＤ情報、製造シリアル番号及び電子メールアドレスをデータベース１００に格納してユーザ登録をしておくので、以後のカード決済のときに、受信した電子メールから得たＩＤ情報、製造シリアル番号及び送信元の電子メールアドレスをデータベース１００に照らして真正のカード決済端末のユーザであることを確認しているので、カード決済端末を使用するユーザを確実に特定することができ、セキュリティを向上させることができる。
【００７０】
なお、上述した実施の形態では、カードリーダ５において、製造シリアル番号及びＩＤ情報を暗号化してから携帯電話機９のメールボックスに送り込んだが、製造シリアル番号及びＩＤ情報を暗号化せずに携帯電話機９のメールボックスに送り込むようにしてもよい。
また、セキュリティをさらに向上させるためには、上述したようにユーザを登録する際に、ＩＤカード３をカードリーダ５に読み込ませることに加えて、暗証番号を入力キー５２から入力させ、製造シリアル番号、ＩＤ情報、暗証番号及び電子メールアドレスの４つについて、上述した登録動作を行わせればよい。
さらに、本発明の実施の形態に係るカード決済端末登録システム１では、ＩＤカード３で説明したが、ＩＣカードを使用してもよい。この場合、カードリーダ５は、ＩＣカードを読み込める形式のものにする必要がある。
【００７１】
（カードリーダ５及び携帯電話機９からなるカード決済端末の使用方法）
カード決済が必要になったときには、まず、カードリーダ５を携帯電話機９に接続してカードリーダ５の電源スイッチをオンし、かつ、携帯電話機９を電子メールが使用できる状態にする。
ついで、ユーザがカードリーダ５のカード読取部５１にＩＤカード３を通し、ＩＤカード３の磁気記録媒体３２に記録されているＩＤ情報を読み取らせる。すると、カードリーダ５では、メモリ５７に格納しておいたユーザ登録時のＩＤ情報と同一が否かを判定し、同一であれば引き続き使用を可能にする。
一方、ＩＤ情報が異なるときには、カードリーダ５は、処理を続行しないようにする。
【００７２】
ついで、顧客のクレジットカード等をカードリーダ５のカード読取部５１に通して顧客のクレジットカード等のカード情報を読み取り、かつ、決済金額を入力キー５２から入力する。
すると、カードリーダ５は、これらの情報を暗号化して携帯電話機９のメールボックスに送り込む。ユーザは、携帯電話機９を操作し、メールボックス内の暗号化された決済情報を電子メールにして決済情報センター１０の決済情報処理装置に送り込む。決済情報センター１０の決済情報処理装置では、送られてきた情報からＩＤ情報、製造シリアル番号及び送信元の電子メールアドレスに抽出し、これらをデータベース１００に照らし、真正のユーザか否かを特定し、真正のユーザであれば、カード決済を続行する。
しかる後に、決済情報センター１０の決済情報処理装置から決済完了の通知が電子メールで携帯電話機９に送られてきた時点でカード決済が完了する。
【００７３】
このようにカード決済をするときには、ユーザは、顧客のカードを読み取らせる前に、必ずＩＤカード３をカードリーダ５に読み込ませることにより、ユーザを特定することができ、セキュリティが保たれる。
なお、仮に、ＩＤ情報が異なってもカードリーダ５が処理を続行できるような構成にしてもよいが、その場合には、登録したＩＤ情報以外はカードリーダ５から送出されないので、カード決済データに添付されてくる電子メールにはＩＤ情報のないものが送出されることになって、ユーザ登録情報処理装置１１側で、はじかれることになる。
【００７４】
【発明の効果】
以上説明したように請求項１または請求項２記載の発明によれば、カードリーダの製造工場において、予めＩＤ情報を登録するという工程を無くすことができ、工程数が減少する。
また、請求項１または請求項２記載の発明によれば、ＩＤカードをカードリーダのカード読取部に通してＩＤ情報を読み取り、その読み取ったＩＤ情報を携帯電話機を介して決済情報センター１０のユーザ登録情報処理装置に送って、カードリーダを使用するユーザを登録しているので、操作が簡単でかつ間違いなくユーザを登録することができる。
請求項３、請求項４または請求項５記載の発明によれば、カードリーダ及び携帯電話機からなるカード決済端末にＩＤカードを読み込ませて、カードリーダの製造シリアル番号とＩＤ情報とを送り出すだけで、ユーザ登録ができるので、事前の登録工程を省略できるほか、簡単な操作で確実にユーザ登録ができる。
請求項６、請求項７、請求項８、請求項９、請求項１０、請求項１１、請求項１２、請求項１３または請求項１４記載の発明によれば、カード決済端末から送られてくるＩＤ情報、製造シリアル番号及び電子メールアドレスをデータベースに格納し、以後のカード決済のときのカード決済端末の使用ユーザを確実に特定することができるので、セキュリティがさらに向上する。
【図面の簡単な説明】
【図１】本発明の実施の形態に係るカード決済端末登録システムを示す構成図である。
【図２】本発明の実施の形態に係るカード決済端末登録システムで使用するカードの例を示す図である。
【図３】本発明の実施の形態に係るカード決済端末登録システムで使用するカードリーダの外観を示す図である。
【図４】本発明の実施の形態に係るカード決済端末登録システムに使用する携帯電話の外観を示す正面図である。
【図５】本発明の実施の形態に係るカード決済端末登録システムで使用するユーザ登録情報処理装置を示すブロック図である。
【図６】本発明の実施の形態に係るカード決済端末登録システムで使用するカードリーダのＩＤ情報処理回路の例を示すブロック図である。
【図７】本発明の実施の形態に係るカード決済端末登録システムで使用されるデータベースの例を示す図である。
【図８】本発明の実施の形態に係るカード決済端末登録システムにおける携帯電話機側での操作を含めた流れの一例を説明するためのフローチャートである。
【図９】本発明の実施の形態に係るカード決済端末登録システムにおける、カードリーダの動作の一例を説明するためのフローチャートである。
【図１０】本発明の実施の形態に係るカード決済端末登録システムにおける、携帯電話機の動作の一例を説明するためのフローチャートである。
【図１１】本発明の実施の形態に係るカード決済端末登録システムにおける、決済情報処理装置の動作の一例を説明するためのフローチャートである。
【符号の説明】
１　カード決済端末登録システム
３　ＩＤカード
５　カードリーダ
７　インターネット
９　携帯電話機
１０　決済情報センター
１１　ユーザ登録情報処理装置
１１ａ　管理サーバー
１１ｂ　メールサーバー
１１ｃ　データベースサーバー
１１ｄ　デクストップクライアント
１１ｅ　ＬＡＮ回線
１１ｆ　ＩＤカード発行装置
１７　パケット通信網
１８　通信事業者接続センター
【図１】
2004062733.tif 000003
【図２】
2004062733.tif 000004
【図３】
2004062733.tif 000005
【図４】
2004062733.tif 000006
【図５】
2004062733.tif 000007
【図６】
2004062733.tif 000008
【図７】
2004062733.tif 000009
【図８】
2004062733.tif 000010
【図９】
2004062733.tif 000011
【図１０】
2004062733.tif 000012
【図１１】
2004062733.tif 000013